(57)【要約】      （修正有）【課題】次の項目を満足させる褥瘡予防用具を提供する。（１）非接触部分を減らして背中全体を接触させることにより、体圧分散を良くする。（２）背骨に与える影響を少なくする。（３）臀部の体圧を分散させる。突起している仙骨部の体圧を分散させる。（４）底着きを防止する。（５）エアセル外部に空気供給用配管を不要にする。（６）通気性を良くする。【解決手段】複数の主膨張部１０ａ１、１０ａ２、１０ａ３が結合部１１ａ１、１１ａ２、１１ａ３を介して長手方向に配列されると共に、前記主膨張部の長手方向の長さＬ１が前記結合部の長手方向の長さＬ２より大とされたエアセル部材を複数枚重ね合わせた。【選択図】                    図１
2004261472.tif 000002
【特許請求の範囲】
【請求項１】
複数の主膨張部が結合部を介して長手方向に配列されると共に、前記主膨張部の長手方向の長さが前記結合部の長手方向の長さより大とされたエアセル部材を複数枚重ね合わせたことを特徴とする、褥瘡予防用具。
【請求項２】
重なり合う一方のエアセル部材の結合部が、他方のエアセル部材の膨張部の中央部に位置するように相互にずらせて重ね合わせたことを特徴とする、請求項１記載の褥瘡予防用具。
【請求項３】
重なり合うエアセル部材の下側エアセル部材の結合部が、上側エアセル部材の膨張部の中央部に熱融着又は溶着又は接着剤又はテープ又は両面テープ又はベルクロ手段により固定したことを特徴とする、請求項２記載の褥瘡予防用具。
【請求項４】
前記各エアセル部材において、隣り合う前記主膨張部間を連通する副膨張部を形成したことを特徴とする、請求項１乃至３のいずれかに記載の褥瘡予防用具。
【請求項５】
前記副膨張部を介して隣り合う前記主膨張部間の給気及び排気を行なうことを特徴とする、請求項４記載の褥瘡予防用具。
【請求項６】
各エアセル部材において、幅方向の中央部を中心として長手方向に左右交互に前記主膨張部を配置したことを特徴とする、請求項１乃至５のいずれかに記載の褥瘡予防用具。
【請求項７】
被介護者の褥瘡発生頻度の高い部分に当る位置の前記主膨張部の形状を、身体形状に合わせた形状としたことを特徴とする、請求項１乃至６のいずれかに記載の褥瘡予防用具。
【請求項８】
最上部のエアセル部材の前記結合部に通気孔を設けたことを特徴とする、請求項１乃至７のいずれかに記載の褥瘡予防用具。
【請求項９】
重なり合わされた複数枚のエアセル部材の外縁を、熱融着又は溶着又は接着剤又はテープ又は両面テープで気密に接着したことを特徴とする、請求項１乃至８のいずれかに記載の褥瘡予防用具。
【請求項１０】
複数の主膨張部が結合部を介して長手方向に配列されると共に、前記主膨張部の長手方向の長さが前記結合部の長手方向の長さより大とされたエアセル部材を複数枚重ね合わせた褥瘡予防用具において、
重なり合うエアセル部材間の互いに対向する前記主膨張部及び結合部が、共通のシート材で形成されていることを特徴とする、褥瘡予防用具。
【発明の詳細な説明】
【０００１】
【発明の属する技術分野】
本発明は、介護のための褥瘡予防用具、特にエアセルを用いた褥瘡予防用具の改良に関するものである。
【０００２】
【従来の技術】
図７は、特許文献に開示されたエアセルを用いた褥瘡予防用具の斜視図である。２系統のツイストされた筒状のＡ系統エアセル２ａ１，２ａ２，…２ａｎ及びＢ系統エアセル２ｂ１，２ｂ２，…２ｂｎが、ベッドに直交して交互に隣接しながらベッドの長手方向に配列され、全体としてエアマットが形成されている。３ａはＡ系統エアセルを膨張・収縮させるための空気の導圧管路、３ｂはＢ系統エアセルを膨張・収縮させるための空気の導圧管路である。
【０００３】
図８は、図７に示したエアセルを用いた褥瘡予防用具１の動作を説明する模式図である。４は導圧管路３ａ及び３ｂへ供給する空気の加圧装置、５は膨張・収縮の周期を指令する制御部、６はエアセル及び導圧管路を包むカバー、７は介護対象の就寝者を示す。
【０００４】
【特許文献】
特開２０００−９３４６７「エアマット」
【０００５】
【発明が解決しようとする課題】
図８において、Ａ系統エアセルとＢ系統エアセルとが交互に膨張、収縮を繰り返す。図示ではＡ系統エアセルが膨張状態、Ｂ系統エアセルが収縮状態である。各系統のエアセルが膨張状態のとき、エアセルが就寝者７の体に接触する部分は、双方向矢印←→Ａ又は←→Ｂの範囲だけである。
【０００６】
従来構成のエアセルによる褥瘡予防用具では、次のような問題点がある。
（１）背中全体に接触しない。エアセルの構造上、体を動かさない限り、接触する部分と非接触部分が固定する。そのため体圧分散良くない。
（２）背骨に与える影響大きい。極端に表現すると、背骨の折り曲げの繰返しテストを行っているようなものである。特許文献で開示された技術では、ツイストされたエアセルの使用により改善を図っているが十分ではない。
（３）臀部の体圧が分散されにくい。
（４）底着き発生しやすい構造になっている。ギャッチアップ時等での底着き防止するため、すべてのエアセルを膨張させて、底着きを防止している。
（５）エアセル外部に空気供給用の導圧管路が必要なため、エアマットとしての構造が複雑となり、かさばり、製造コストが高くなる。
（６）通気性が悪い。
【０００７】
本発明の目的は、次の項目を満足させる褥瘡予防用具を実現することにある。
（１）非接触部分を減らして背中全体を接触させることにより、体圧分散を良くする。
（２）背骨に与える影響を少なくする。
（３）臀部の体圧を分散させる。突起している仙骨部の体圧を分散させる。
（４）底着き発生しにくい構造にして、底着きを防止する。
（５）エアセル外部に空気供給用配管を不要にする。
（６）通気性を良くする。
【０００８】
【課題を解決するための手段】
このような目的を達成するための本発明の構成は次の通りである。
（１）複数の主膨張部が結合部を介して長手方向に配列されると共に、前記主膨張部の長手方向の長さが前記結合部の長手方向の長さより大とされたエアセル部材を複数枚重ね合わせたことを特徴とする、褥瘡予防用具。
【０００９】
（２）重なり合う一方のエアセル部材の結合部が、他方のエアセル部材の膨張部の中央部に位置するように相互にずらせて重ね合わせたことを特徴とする、請求項１記載の褥瘡予防用具。
【００１０】
（３）重なり合うエアセル部材の下側エアセル部材の結合部が、上側エアセル部材の膨張部の中央部に熱融着又は溶着又は接着剤又はテープ又は両面テープ又はベルクロ手段により固定したことを特徴とする、請求項２記載の褥瘡予防用具。
【００１１】
（４）前記各エアセル部材において、隣り合う前記主膨張部間を連通する副膨張部を形成したことを特徴とする、請求項１乃至３のいずれかに記載の褥瘡予防用具。
【００１２】
（５）前記副膨張部を介して隣り合う前記主膨張部間の給気及び排気を行なうことを特徴とする、請求項４記載の褥瘡予防用具。
【００１３】
（６）各エアセル部材において、幅方向の中央部を中心として長手方向に左右交互に前記主膨張部を配置したことを特徴とする、請求項１乃至５のいずれかに記載の褥瘡予防用具。
【００１４】
（７）被介護者の褥瘡発生頻度の高い部分に当る位置の前記主膨張部の形状を、身体形状に合わせた形状としたことを特徴とする、請求項１乃至６のいずれかに記載の褥瘡予防用具。
【００１５】
（８）最上部のエアセル部材の前記結合部に通気孔を設けたことを特徴とする、請求項１乃至７のいずれかに記載の褥瘡予防用具。
【００１６】
（９）重なり合わされた複数枚のエアセル部材の外縁を、熱融着又は溶着又は接着剤又はテープ又は両面テープで気密に接着したことを特徴とする、請求項１乃至８のいずれかに記載の褥瘡予防用具。
【００１７】
（１０）複数の主膨張部が結合部を介して長手方向に配列されると共に、前記主膨張部の長手方向の長さが前記結合部の長手方向の長さより大とされたエアセル部材を複数枚重ね合わせた褥瘡予防用具において、
重なり合うエアセル部材間の互いに対向する前記主膨張部及び結合部が、共通のシート材で形成されていることを特徴とする、褥瘡予防用具。
【００１８】
【発明の実施の形態】
以下本発明実施態様を、図面を用いて説明する。図１は本発明を適用したＡ，Ｂ２系統のエアセル部材を有する褥瘡予防用具の構成例を示す断面図であり、（イ）はＡ系統膨張・Ｂ系統収縮状態、（ロ）はＢ系統膨張・Ａ系統収縮状態、（ハ）はＡ，Ｂ両系統膨張状態を示す。各エアセル部材は、ウレタンフィルム等のシート材を重ね合わせ、結合部を熱融着又は溶着して形成されている。
【００１９】
図１（イ）において、１０ａ１，１０ａ２，１０ａ３，…は、Ａ系統エアセル部材中の３個の膨張部を示す。これら複数の主膨張部は、結合部１１ａ１，１１ａ２，１１ａ３，…介して長手方向に配列される。主膨張部の長手方向の長さＬ１は、結合部の長手方向の長さＬ２より大とされている。
【００２０】
同様に、図１（ロ）において、１０ｂ１，１０ｂ２，１０ｂ３，…は、Ｂ系統エアセル部材中の３個の膨張部を示す。これら複数の主膨張部は、結合部１１ｂ１，１１ｂ２，…介して長手方向に配列される。同様に、主膨張部の長手方向の長さＬ１は、結合部の長手方向の長さＬ２より大とされている。
【００２１】
これら両系統のエアセル部材は、Ａ系統を上にＢ系統を下に重ね合わされており、重なり合う一方のエアセル部材の結合部が、他方のエアセル部材の膨張部の中央部に位置するように、相互にずらせて重ね合わされている。ずらせて重ね合わせることにより、就寝者の背中全体にエアセル部材の主膨張部が接触し、体圧分散効果を高める。
【００２２】
重なり合うエアセル部材の下側エアセル部材の結合部が、上側エアセル部材の主膨張部の中央部に熱融着又は溶着又は接着剤又はテープ又は両面テープで固定され、Ａ系統のエアセル部材とＢ系のエアセル部材が一体化してマットレス状とされている。図１（ハ）において、１２ｂ１，１２ｂ２は、結合部１１ｂ１，１１ｂ２位置に形成された溶着部である。
【００２３】
固定手段としてベルクロ手段使用し、Ａ系統のエアセル部材とＢ系のエアセル部材を分離可能とした構成も可能である。尚、固定箇所は結合部の全てではなく、任意選択された複数箇所とすることも可能である。
【００２４】
図１（イ）において、１３ａ１，１３ａ２，１３ａ３は、最上部のＡ系統のエアセル部材の結合部１１ａ１，１１ａ２，１１ａ３に設けた通気孔である。Ａ系統のエアセル部材が収縮から膨張して（イ）の状態に遷移する過程では、結合部１１ａ１，１１ａ２，１１ａ３と、収縮するＢ系統の主膨張部との間に形成される空間に、この通気孔を介して矢印Ｐで示すように空気が吸い込まれる。
【００２５】
Ｂ系統のエアセル部材が収縮から膨張して（ロ）の状態に遷移する過程では、結合部１１ａ１，１１ａ２，１１ａ３と、Ｂ系統の主膨張部との間に形成される空間内の空気は、この通気孔を介して矢印Ｑで示すように排気される。このような周期的な吸排気システムにより、通気性を向上せしめることが可能となる。
【００２６】
図２は、本発明を適用した褥瘡予防用具の構成例を示す平面図である。図２（イ）はＡ系統エアセル部材１０ａの平面図、（ロ）はＢ系統エアセル部材１０ｂの平面図である。これら平面図において、ハッチングで示す複数の方形領域が上下二枚のフィルムシートの溶着部であり、結合部を形成する。溶着部以外の領域が主膨張部を形成する。
【００２７】
溶着部は、長手方向と直交する方向に所定の間隔を持って間歇的に形成され、２個の溶着部の間が長手方向に隣接する主膨張部間を連通する副膨張部を形成している。図２（イ）′は、Ａ系統エアセル部材の副膨張部を含む位置ＡＬ−ＡＬ´を矢印Ｓ方向より見た（左側から見た）縦断面図である。１４ａ１，１４ａ２，１４ａ３，…が副膨張部であり、これら副膨張部の高さは、主膨張部のそれよりも低く形成されている。（イ）″は、主膨張部を含む位置ＡＷ−ＡＷ′の横断面図であり、主膨張部の断面が表示されている。
【００２８】
これら副膨張部を介して長手方向に配列される複数の隣り合う主膨張部間の給気及び排気を行なうことをことができるので、エアセル部材外部に各主膨張部に対する個別の給気・排気用配管が不要となる。
【００２９】
図２（ロ）′は、Ｂ系統エアセル部材の結合部を含む位置ＢＬ−ＢＬ´を矢印Ｒ方向より見た（右側から見た）縦断面図である。（ロ）″は、結合部を含む位置ＢＷ−ＢＷ′の横断面図であり、副膨張部の断面が表示されている。
【００３０】
図３は、本発明の他の実施形態を示す平面図である。特徴は、各エアセル部材において、幅方向の中央部（一点鎖線Ｃで示す）を中心として長手方向に左右交互に主膨張部を配置した構成である。このような構成により、幅方向の中央部に背骨が位置する場合には、背骨の各部分が支えている体の左側又は右側のいずれか一方は主膨張部に接触するので、体圧分散が良くなり、背骨の折れ曲がりを緩和する。
【００３１】
図３（イ）′は、Ａ系統エアセル部材の右側で結合部を含む位置ＡＬ−ＡＬ´を矢印Ｓ方向より見た（左側から見た）縦断面図である。（イ）″は、左側に主膨張部を右側に結合部を含む位置ＡＷ−ＡＷ′の横断面図であり、左側に主膨張部、右側に副膨張部の断面が表示されている。
【００３２】
図３（ロ）′は、Ｂ系統エアセル部材の副膨張部を含む位置ＢＬ−ＢＬ´を矢印Ｒ方向より見た（右側から見た）縦断面図である。１４ｂ１，１４ｂ２，１４ｂ３，…はＢ系統エアセル部材の副膨張部である。（ロ）″は、左側に結合部を右側に主膨張部を含む置ＢＷ−ＢＷ′の横断面図であり、左側に副膨張部、右側に主膨張部の断面が表示されている。
【００３３】
図４は、被介護者の褥瘡発生頻度の高い部分に当る位置、図は臀部接触部分の主膨張部の形状を、身体の突起部に合わせた形状としたことを特徴とする。突起部に対する主膨張部の形状は、円状又は準楕円状とし、更に突起部にあたる部分をへこませた形状が有効である。
【００３４】
図４（イ）はＡ系統エアセル部材１０ａの平面図、（ロ）はＢ系統エアセル部材１０ｂの平面図であり、これら平面図においてハッチングで示す領域が身体の突起部の形状に合わせた主膨張部であり、それ以外の領域が上下二枚のフィルムシートの溶着部であり、結合部を形成する。
【００３５】
Ａ系統エアセル部材１０ａ側の突起部に合わせた形状を説明すれば、１５ａ１及び１５ａ２の並列配置された臀部を支持する円形主膨張部及び、これらを取り巻くように配置された準楕円形主膨張部１５ａ３よりなる。通常の主膨張部と準楕円形主膨張部１５ａ３との間を結合する副膨張部、準楕円形主膨張部１５ａ３と円形主膨張部１５ａ１及び１５ａ２を結合する副膨張部が形成されている。
【００３６】
図４（イ）′は、Ａ系統エアセル部材の副膨張部を含む位置ＡＬ−ＡＬ´を矢印Ｓ方向より見た（左側から見た）縦断面図であり、副膨張部及び主膨張部の断面が表示されている。円形主膨張部１５ａ１及び１５ａ２の高さは、他の主膨張部のそれよりも低く形成されおり、臀部の突起に合わせて凹部が形成されている。
（イ）″は、主膨張部を含む位置ＡＷ−ＡＷ′の横断面図であり、結合部及び主膨張部の断面が表示されている。
【００３７】
図４（ロ）′は、Ｂ系統エアセル部材の副膨張部を含む位置ＢＬ−ＢＬ´を矢印Ｒ方向より見た（右側から見た）縦断面図であり、副膨張部及び主膨張部の断面が表示されている。（ロ）″は、溶着部を含む位置ＢＷ−ＢＷ′の横断面図であり、結合部及び主膨張部の断面が表示されている。
【００３８】
図５は、重なり合わされた複数枚のエアセル部材の外縁１６を、熱融着又は溶着又は接着剤又はテープ又は両面テープで気密に接着し、外周部に形成される空間１７内の空気が漏れないようにした構造を示す。このような気密構造により、図１で説明した最上部のエアセル部材に形成した通気孔１３ａ１，１３ａ２，１３ａ３，…による空気の吸い込み排出効率を高めることができる。
【００３９】
図６は、本発明の他の実施形態を示す断面図であり、（イ）はＡ系統膨張・Ｂ系統収縮状態、（ロ）はＢ系統膨張・Ａ系統収縮状態、（ハ）はＡ，Ｂ両系統膨張状態を示す。この実施形態の特徴は、重なり合うエアセル部材間の互いに対向する膨張部及び結合部が、共通のシート材で形成されている点である。
【００４０】
即ち、Ａ系統エアセル部材１０ａの下側シート（フィルム）とＢ系統エアセル部材１０ｂの上側シート（フィルム）を１枚のシート（フィルム）で共用し、各エアセル部材における結合部を融着又は溶着している。このような共用構造により、材料のコストダウンと軽量化を実現することができる。
【００４１】
以上説明した実施形態では、Ａ系統及びＢ系統の２系統の重ね合わせ構造を説明したが、本発明は、エアセル部材を３系統以上重ね合わせることも可能である。更に、図４に示した身体形状に合わせた主膨張部の実施形態では、臀部周囲の主膨張部を他の主膨張部よりもその圧力を低くすることにより、突起部に対する当りをソフトにすることも可能である。
【００４２】
【発明の効果】
以上説明したことから明らかなように、本発明によれば次のような効果を期待することができる。
（１）非接触部分を減らして、背中全体を接触させるので、体圧分散が良くなる。
（２）背骨に与える影響が少ない。
（３）臀部の体圧を分散させることができる。
（４）底着き発生しにくい構造なので、すべてのエアセルを膨張させなくても、底着きを防止できる。
（５）エアセル外部に空気供給用配管が不要なので、材料費及び製作工数を削減できる。
（６）通気性が良くなるので、褥瘡が発生しにくくなる。
（７）同一構造のシート状のエアセル部材を、位置をずらせて重ね合わせる単純構造と副膨張部による配管不要構造により、製造コストを下げることができる。
【図面の簡単な説明】
【図１】本発明を適用した褥瘡予防用具の構成例を示す断面図である。
【図２】本発明を適用した褥瘡予防用具の構成例を示す平面図である。
【図３】本発明を適用した褥瘡予防用具の他の実施形態を示す平面図である。
【図４】本発明を適用した褥瘡予防用具の更に他の実施形態を示す平面図である。
【図５】本発明を適用した褥瘡予防用具の外縁溶着構造を示す断面図である。
【図６】本発明を適用した褥瘡予防用具の更に他の実施形態を示す断面図である。
【図７】特許文献に開示されたエアセルを用いた褥瘡予防用具の斜視図である。
【図８】図７に示したエアセルを用いた褥瘡予防用具の動作を説明する模式図である。
【符号の説明】
１０ａ１，１０ａ２，１０ａ３，…  Ａ系統主膨張部
１０ｂ１，１０ｂ２，１０ｂ３，…  Ｂ系統主膨張部
１１ａ１，１１ａ２，１１ａ３，…  Ａ系統結合部
１１ｂ１，１１ｂ２，１１ｂ３，…  Ｂ系統結合部
１２ｂ１，１２ｂ２，１２ｂ３，…  Ａ系統へのＢ系統溶着部
１３ａ１，１３ａ２，１３ａ３，…  Ａ系統通気孔
【図１】
2004261472.tif 000003
【図２】
2004261472.tif 000004
【図３】
2004261472.tif 000005
【図４】
2004261472.tif 000006
【図５】
2004261472.tif 000007
【図６】
2004261472.tif 000008
【図７】
2004261472.tif 000009
【図８】
2004261472.tif 000010